(57)【要約】【課題】プロジェクタなどの表示装置に接続された記録媒体に記録されているコンテンツの一覧を示す情報の意図しない表示を抑制する。【解決手段】外部装置と通信する通信手段と、記録媒体を接続する接続手段と、を備える表示装置であって、前記通信手段を介して前記外部装置から受信した画面データを表示する表示手段と、前記記録媒体に記録されているコンテンツの一覧を示す情報の取得要求を、前記通信手段を介して前記外部装置から受信する受信手段と、前記取得要求に応えて、要求された情報を前記記録媒体から取得し、前記通信手段を介して前記外部装置へ送信する送信手段と、前記取得要求に応えて、前記外部装置から新たに受信された画面データが前記表示手段により判読可能な状態で表示されないようにする表示制御を実行する表示制御手段と、を備えることを特徴とする表示装置を提供する。【選択図】図４
2011242481.tif 000002
【特許請求の範囲】
【請求項１】
外部装置と通信する通信手段と、記録媒体を接続する接続手段と、を備える表示装置であって、
前記通信手段を介して前記外部装置から受信した画面データを表示する表示手段と、
前記記録媒体に記録されているコンテンツの一覧を示す情報の取得要求を、前記通信手段を介して前記外部装置から受信する受信手段と、
前記取得要求に応えて、要求された情報を前記記録媒体から取得し、前記通信手段を介して前記外部装置へ送信する送信手段と、
前記取得要求に応えて、前記外部装置から新たに受信された画面データが前記表示手段により判読可能な状態で表示されないようにする表示制御を実行する表示制御手段と、
を備えることを特徴とする表示装置。
【請求項２】
前記表示制御手段が実行する前記表示制御は、
表示中の画面データを更新しないように前記表示手段を制御すること、
画面データの表示を停止するように前記表示手段を制御すること、
前記外部装置から受信した画面データの代わりに予め設定された画像を表示するように前記表示手段を制御すること、又は、
前記外部装置から新たに受信した画面データを判読不可能なように加工すること
を含むことを特徴とする請求項１に記載の表示装置。
【請求項３】
前記取得要求により要求された情報が前記記録媒体に記録されていない場合、前記表示制御手段は前記表示制御を実行しないことを特徴とする請求項１又は２に記載の表示装置。
【請求項４】
画面データに含まれているコンテンツの一覧を示す画像を認識する画像認識手段を更に備え、
前記表示制御手段は、前記表示制御の実行中に前記画像認識手段でコンテンツの一覧を示す画像が認識されなくなった場合、当該表示制御を停止する
ことを特徴とする請求項１乃至３のいずれか１項に記載の表示装置。
【請求項５】
前記表示制御手段は、前記表示制御を開始してから所定時間が経過した後に、当該表示制御を停止することを特徴とする請求項１乃至３のいずれか１項に記載の表示装置。
【請求項６】
前記表示制御手段は、前記表示制御の実行中に、当該表示制御を実行中であることを示す情報を表示するように前記表示手段を制御する
ことを特徴とする請求項１乃至５のいずれか１項に記載の表示装置。
【請求項７】
外部装置と通信する通信手段と、記録媒体を接続する接続手段と、を備える表示装置の制御方法であって、
表示手段が、前記通信手段を介して前記外部装置から受信した画面データを表示する表示工程と、
受信手段が、前記記録媒体に記録されているコンテンツの一覧を示す情報の取得要求を、前記通信手段を介して前記外部装置から受信する受信工程と、
送信手段が、前記取得要求に応えて、要求された情報を前記記録媒体から取得し、前記通信手段を介して前記外部装置へ送信する送信工程と、
表示制御手段が、前記取得要求に応えて、前記外部装置から新たに受信された画面データが前記表示手段により判読可能な状態で表示されないようにする表示制御を実行する表示制御工程と、
を備えることを特徴とする制御方法。
【請求項８】
請求項７に記載の制御方法の各工程をコンピュータに実行させるためのプログラム。
【発明の詳細な説明】
【技術分野】
【０００１】
本発明は、表示装置、及びその制御方法に関する。
【背景技術】
【０００２】
近年、プレゼンテーションを行う場合に、プロジェクタが広く利用されている。プロジェクタは、プレゼンテーション資料などをスクリーンに拡大投影することができるため、多人数が参加する会議や研修会等でしばしば利用されている。プロジェクタの一般的な使用形態は、パーソナルコンピュータ（ＰＣ）とプロジェクタとを通信可能に接続し、ＰＣの表示画面をプロジェクタへ送信して表示させるというものである。また、プロジェクタの中には、内蔵の又は着脱可能な記録媒体を接続可能なものもある。
【０００３】
最近では、ＰＣとプロジェクタとが、ＬＡＮなどの通信ネットワークにより接続される場合もある。この場合、ＰＣとプロジェクタとは表示画面以外のデータを双方向通信することができるため、例えば、ＰＣはプロジェクタに接続された記録媒体にアクセスすることもできる。
【０００４】
ＰＣがプロジェクタの記録媒体にアクセスしてそれに応じた画面（例えば、ファイル一覧）を表示した場合、この画面もプロジェクタによって投影される。しかしながら、記録媒体の中には、聴衆に見せることを意図していない機密情報などが含まれている可能性がある。従って、機密情報などを誤って投影することを抑制する技術が必要とされる。
【０００５】
機密情報などを誤って投影することを抑制する技術として、特許文献１が知られている。特許文献１によれば、ファイルのヘッダ部に機密情報であることを示す属性情報が含まれている場合や、ファイルの内容に機密情報であることを示す文字や画像などが含まれている場合に、プロジェクタがファイルの内容を投影することが禁止される。
【先行技術文献】
【特許文献】
【０００６】
【特許文献１】特開２００４−１８５５６８号公報
【発明の概要】
【発明が解決しようとする課題】
【０００７】
特許文献１の技術を利用する場合、ファイルのヘッダ部や内容に機密情報であることを示す情報を事前に設定する必要がある。しかしながら、このような設定作業は、（特にファイルの数が多い場合は）ユーザにとって負担である。
【０００８】
また、特許文献１の技術は、記録媒体のコンテンツ自体に関する情報（例えば、ファイル名）に機密情報が含まれている場合を扱っていないので、記録媒体に記録されているコンテンツの一覧を示す情報（例えば、ファイル一覧）の投影を抑制することができない。
【０００９】
本発明はこのような状況に鑑みてなされたものであり、プロジェクタなどの表示装置に接続された記録媒体に記録されているコンテンツの一覧を示す情報の意図しない表示を抑制する技術を提供することを目的とする。
【課題を解決するための手段】
【００１０】
上記課題を解決するために、第１の本発明は、外部装置と通信する通信手段と、記録媒体を接続する接続手段と、を備える表示装置であって、前記通信手段を介して前記外部装置から受信した画面データを表示する表示手段と、前記記録媒体に記録されているコンテンツの一覧を示す情報の取得要求を、前記通信手段を介して前記外部装置から受信する受信手段と、前記取得要求に応えて、要求された情報を前記記録媒体から取得し、前記通信手段を介して前記外部装置へ送信する送信手段と、前記取得要求に応えて、前記外部装置から新たに受信された画面データが前記表示手段により判読可能な状態で表示されないようにする表示制御を実行する表示制御手段と、を備えることを特徴とする表示装置を提供する。
【００１１】
なお、その他の本発明の特徴は、添付図面及び以下の発明を実施するための形態における記載によって更に明らかになるものである。
【発明の効果】
【００１２】
以上の構成により、本発明によれば、プロジェクタなどの表示装置に接続された記録媒体に記録されているコンテンツの一覧を示す情報の意図しない表示を抑制することが可能となる。
【図面の簡単な説明】
【００１３】
【図１】第１の実施形態に係るプロジェクタ１１の使用形態を示す概略図
【図２】プロジェクタ１１の詳細な構成を示すブロック図
【図３】コンテンツ情報（コンテンツの一覧を示す情報）がＰＣ１３の表示画面１７に表示された場合の表示例を示す図
【図４】第１の実施形態に係る、プロジェクタ１１及びＰＣ１３の動作の流れを示すフローチャート
【図５】第２の実施形態に係る、プロジェクタ１１及びＰＣ１３の動作の流れを示すフローチャート
【発明を実施するための形態】
【００１４】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１５】
［第１の実施形態］
以下、本発明の表示装置をプロジェクタに適用した実施形態について説明する。図１は、第１の実施形態に係るプロジェクタ１１の使用形態を示す概略図である。図１において、プロジェクタ１１と、外部装置の一例であるパーソナルコンピュータ（ＰＣ）１３とは、イーサネット（登録商標）などの有線ＬＡＮ、ＩＥＥＥ８０２．１１ｂやＢｌｕｅｔｏｏｔｈ（登録商標）などの無線ＬＡＮ、又は公衆回線などの、ネットワーク１４を介して接続される。ＰＣ１３の代わりに他の情報端末装置を用いるものとしてもよい。ＰＣ１３の表示画面１７は、１枚ごとの画面データとしてプロジェクタ１１に転送され、スクリーン１５に拡大投影される。
【００１６】
ＰＣ１３には、表示画面１７を表す画面データ（例えばＪＰＥＧ画像データ）を生成するアプリケーションが格納されており、このアプリケーションは、表示画面１７がプレゼンテーション資料を含むか否かを意識しない。また、プロジェクタ１１には、受信した画面データを表示データに変換するアプリケーションが格納されており、このアプリケーションは、受信した画面データがプレゼンテーション資料を含むか否かを意識しない。
【００１７】
プロジェクタ１１と記録媒体１２とは、ＵＳＢケーブルやＩＥＥＥ１３９４ケーブルなど、各種規格のケーブル１６で接続される。記録媒体１２は、ハードディスクやフラッシュメモリ等で構成される。或いは、記録媒体１２には、光磁気ディスク、ＣＤ−ＲＯＭ、ＣＤ−ＲＷ、ＤＶＤ−ＲＯＭなどの二次記憶装置が含まれていてもよい。記録媒体１２はプロジェクタ１１の内部にあっても外部にあってもよい。
【００１８】
プレゼンテーションを行うユーザは、プレゼンテーション資料を、ＰＣ１３上に作成したり、記録媒体１２からプロジェクタ１１を経由して取得したりする。図１では、記録媒体１２及びＰＣ１３は１台ずつプロジェクタ１１に接続されているが、記録媒体及びＰＣの接続台数は１台に限らず何台でもよい。
【００１９】
次に、図２を参照して、プロジェクタ１１の詳細な構成を説明する。図２において、図１と同一又は同様の構成要素には同一の符号を付し、説明を省略する。プロジェクタ１１内の各処理部は、システムバス２１を介して互いに通信可能に接続されている。
【００２０】
操作部２２は、ボタンやタッチパネル等を含み、ユーザは操作部２２を介して、プロジェクタ１１の電源のＯＮ／ＯＦＦや、プロジェクタ１１の各種設定などの操作ができる。操作信号受信部２３は、プロジェクタ１１付属のリモートコントローラ５０から、赤外線通信により、プロジェクタ１１の操作コマンドを受信する。
【００２１】
表示部２４は、システムバス２１から受信した画面データ（厳密には、画面データから生成された表示データ）をスクリーン１５に表示（投影）する。制御部２５は、表示部２４における画面表示のＯＮ／ＯＦＦを切り替えたり、ＰＣ１３の表示画面１７の画面データや、記録媒体１２内に予め格納された画像等を表示部２４に投影させたり、所定のメッセージを表示部２４に投影させたりする等、表示部２４の制御を行う。また、制御部２５は、プロジェクタ１１−ＰＣ１３間、プロジェクタ１１−記録媒体１２間のデータ通信の制御や、ＰＣ１３から受信した制御コマンド、或いは、操作部２２又は操作信号受信部２３からの操作コマンドに応じた、プロジェクタ１１の制御も行う。
【００２２】
通信部２６は、ＰＣ１３からの画面データの受信や、ＰＣ１３との接続確立や画面データ転送のための制御コマンドの送受信を行う。接続部２７は、プロジェクタ１１と記録媒体１２を接続するための各種インタフェースを備える。記憶部２８は、ＰＣ１３から受信した画面データを格納する。画像処理部２９は、記憶部２８内に格納されたＰＣ１３の画面データに対して様々な画像処理を施す。画像処理部２９はまた、画像認識手段として機能し、パターン認識や文字認識等を行い、画面データの中に存在するオブジェクトを特定する。
【００２３】
図３は、コンテンツ情報（コンテンツの一覧を示す情報）がＰＣ１３の表示画面１７に表示された場合の表示例を示す図である。ＰＣ１３がプロジェクタ１１に対して記録媒体１２に記録されているコンテンツ情報の取得要求を送信すると、プロジェクタ１１は、記録媒体１２内のコンテンツ情報を取得し、ＰＣ１３へ送信する。送信されたコンテンツ情報は、表示画面１７上に生成されたウインドウ３１内に表示される（コンテンツ情報３２参照）。このとき、表示画面１７がプロジェクタ１１から投影されている場合には、聴衆にコンテンツ情報３２を見られてしまう恐れがあり、コンテンツ情報３２の中に機密情報が含まれている場合に問題がある。そこで、プロジェクタ１１は、以下に詳述する表示制御を行うことにより、コンテンツ情報３２の表示（投影）を抑制する。
【００２４】
図４は、第１の実施形態に係る、プロジェクタ１１及びＰＣ１３の動作の流れを示すフローチャートである。図４では、左側にプロジェクタ１１の動作の流れを、右側にＰＣ１３の動作の流れをそれぞれ示す。
【００２５】
Ｓ４０１及びＳ４０２で、プロジェクタ１１及びＰＣ１３は、ネットワーク１４を介した接続を確立する。接続を確立するための処理の一例には、プロジェクタ１１及びＰＣ１３がネットワーク１４に参加したり、ＰＣ１３がプロジェクタ１１に対して接続要求を送信したりすることなどが含まれる。
【００２６】
Ｓ４０３で、ＰＣ１３はプロジェクタ１１に対する画面データの送信を開始し、Ｓ４０４で、プロジェクタ１１はＰＣ１３から受信した画面データの表示（投影）を開始する。プロジェクタ１１において、画面データは通信部２６を介して受信され、画面データの投影は、表示部２４により行われる。Ｓ４０３及びＳ４０４における処理には、ＰＣ１３が画面データ送信要求コマンドをプロジェクタ１１に送信したり、これに応えてプロジェクタ１１が、画面データ送信許可コマンドをＰＣ１３に送信したりすることが含まれてもよい。
【００２７】
Ｓ４１３で、プロジェクタ１１は、通信部２６を介してＰＣ１３からコンテンツ情報取得要求を受信するまで待つ。Ｓ４１４においてＰＣ１３がコンテンツ情報取得要求をプロジェクタ１１に対して送信すると、プロジェクタ１１の処理はＳ４１５に進む。
【００２８】
ここで、コンテンツ情報取得要求とは、記録媒体１２に記録されているコンテンツの一覧を示す情報の取得要求である。コンテンツ情報取得要求の具体例としては、記録媒体１２の特定のフォルダに格納されているファイルの一覧情報の取得要求や、音楽のプレイリストの取得要求などが挙げられる。コンテンツ情報取得要求を受信したか否かの判定は、事前に規定された所定の基準に従い、プロジェクタ１１の制御部２５によって行われる。例えば、制御部２５のＲＯＭ（不図示）にはコマンドの形式を示す情報が記録されており、制御部２５は、この形式のコマンドをＰＣ１３から受信した場合に、コンテンツ情報取得要求を受信したと判断する。或いは、制御部２５のＲＯＭ（不図示）には、プレイリストを保持するファイルの拡張子のリストが記録されており、この拡張子を持つファイルに対するアクセス要求をＰＣ１３から受信した場合に、コンテンツ情報取得要求を受信したと判断する。
【００２９】
Ｓ４１５で、プロジェクタ１１の制御部２５は、操作部２２等を介して予め設定された表示制御モードに従って、処理をＳ４１６、Ｓ４１７、又はＳ４１８に進める。本実施形態のプロジェクタ１１の制御部２５は、コンテンツ情報取得要求を受信した場合、その後ＰＣ１３から新たに受信された画面データが判読可能な状態で表示されないようにする表示制御を行う。Ｓ４１６、Ｓ４１７、及びＳ４１８の処理は、表示制御の具体例であるが、表示制御はこれらに限定されず、「新たに受信された画面データが判読可能な状態で表示されない」ようにするものであれば、どのような制御であっても構わない。
【００３０】
Ｓ４１６で、プロジェクタ１１の制御部２５は、表示中の画面データを更新しないように表示部２４を制御する。Ｓ４１７で、プロジェクタ１１の制御部２５は、画面データの表示を停止するように表示部２４を制御する。Ｓ４１８で、プロジェクタ１１の制御部２５は、ＰＣ１３から受信した画面データの代わりに予め設定された画像を表示するように表示部２４を制御する。予め設定された画像は、例えば記憶部２８又は記録媒体１２に記録されている。
【００３１】
Ｓ４１６、Ｓ４１７、又はＳ４１８における表示制御により、ＰＣ１３から新たに受信された画面データが全く表示されなくなるため、「判読可能な状態で表示されない」ようにすることが達成される。そのため、後述するＳ４２０においてＰＣ１３が図３のウインドウ３１のようなウインドウを表示しても、プロジェクタ１１の表示部２４はこのウインドウを表示）しないため、コンテンツ情報３２に含まれる機密情報を保護することができる。
【００３２】
Ｓ４１９で、プロジェクタ１１の制御部２５は、コンテンツ情報取得要求が要求するコンテンツ情報を記録媒体１２から取得し、通信部２６を介してＰＣ１３へ送信する。Ｓ４２０で、ＰＣ１３はコンテンツ情報を受信し、受信したコンテンツ情報を自身の表示画面１７に表示する。
【００３３】
なお、コンテンツ情報取得要求により要求されたコンテンツ情報が記録媒体１２に記録されていない場合、機密情報が表示される恐れがないため、Ｓ４１６乃至Ｓ４１８の処理は省略可能である。例えば、プロジェクタ１１の制御部２５はＳ４１５において、コンテンツ情報取得要求により要求されたコンテンツ情報が記録媒体１２に記録されているか否かを判定し、記録されていない場合はＳ４１６乃至Ｓ４１８の処理を省略することができる。
【００３４】
また、機密情報でないファイルやフォルダは聴衆に見られても問題はない。そのため、事前に記録媒体１２内のファイルやフォルダのヘッダ部に機密情報である設定をしておき、機密情報であるファイルやフォルダへのコンテンツ情報の取得要求があった場合にのみ、Ｓ４１６乃至Ｓ４１８の処理を実行してもよい。
【００３５】
Ｓ４２１で、プロジェクタ１１の制御部２５は、上述の表示制御を実行中であることを示す情報を表示するように表示部２４を制御する。これにより、例えば「画面の投影を中断しています。しばらくお待ちください。」というメッセージがスクリーン１５に投影される。
【００３６】
Ｓ４２２で、プロジェクタ１１の制御部２５は、ＰＣ１３から新たに受信した画面データを記憶部２８に格納する。そして、画像処理部２９は、パターン認識や文字認識等の任意の画像認識技術を利用して、この画面データに含まれているコンテンツ情報を示す画像（例えば、図３のウインドウ３１）を認識する。Ｓ４２３においてＰＣ１３がコンテンツ情報の表示を終了すると、Ｓ４２２においてコンテンツ情報を示す画像が認識されなくなるため、プロジェクタ１１の処理はＳ４２４に進む。
【００３７】
Ｓ４２４で、プロジェクタ１１の制御部２５は、「新たに受信された画面データが判読可能な状態で表示されないようにする表示制御」を停止する。これにより、プロジェクタ１１において、ＰＣ１３の表示画面１７の判読可能な表示が再開される。なお、図示しないが、Ｓ４１６乃至Ｓ４１８において表示制御を開始してから所定時間が経過した後に、この表示制御を停止してもよい。こうすれば、プロジェクタ１１がＰＣ１３の画面データの表示を中断している間に、ユーザはウインドウ３１を閉じるなど、機密情報保護のために必要な操作を行うことができる。ここで、画面データの表示を再開するまでの残り時間をスクリーン１５に投影し、ユーザに表示再開時間を通知することで、コンテンツ情報が表示されるリスクを低減できる。
【００３８】
以上説明したように、本実施形態によれば、プロジェクタ１１は、ＰＣ１３からコンテンツ情報取得要求を受信すると、ＰＣ１３から新たに受信された画面データが判読可能な状態で表示されないようにする表示制御を実行する。
【００３９】
これにより、プロジェクタなどの表示装置に接続された記録媒体に記録されているコンテンツの一覧を示す情報の意図しない表示を抑制することが可能となる。
【００４０】
［第２の実施形態］
第２の実施形態では、表示制御モードの他の例について説明する。図４のＳ４１６乃至Ｓ４１８では、「新たに受信された画面データが判読可能な状態で表示されない」ようにするため、画面データの表示自体が停止された。これに対し、第２の実施形態では、プロジェクタ１１の制御部２５は、ＰＣ１３から新たに受信した画面データを判読不可能なように加工する。
【００４１】
第２の実施形態においては、プロジェクタ１１の構成等は第１の実施形態と同様である。図５は、第２の実施形態に係る、プロジェクタ１１及びＰＣ１３の動作の流れを示すフローチャートである。図５では、左側にプロジェクタ１１の動作の流れを、右側にＰＣ１３の動作の流れをそれぞれ示す。図５において、図４と同一又は同様の処理が行われるステップには同一の符号を付し、説明を省略する。
【００４２】
Ｓ５１６で、プロジェクタ１１の制御部２５は、ＰＣ１３から新たに受信した画面データにぼかし処理を施す。Ｓ５１７で、プロジェクタ１１の制御部２５は、ＰＣ１３から新たに受信した画面データにモザイク処理を施す。Ｓ５１８で、プロジェクタ１１の制御部２５は、ＰＣ１３から新たに受信した画面データを任意の色で塗りつぶす。
【００４３】
Ｓ５２１で、プロジェクタ１１の制御部２５は、上述の表示制御を実行中であることを示す情報を表示するように表示部２４を制御する。これにより、例えば「画面を加工して表示しています。しばらくお待ちください。」というメッセージがスクリーン１５に投影される。
【００４４】
Ｓ５２４で、プロジェクタ１１の制御部２５は、「新たに受信された画面データが判読可能な状態で表示されないようにする表示制御」（具体的には、画面データの加工）を停止する。
【００４５】
以上説明したように、本実施形態によれば、プロジェクタ１１は、ＰＣ１３からコンテンツ情報取得要求を受信すると、ＰＣ１３から新たに受信された画面データが判読可能な状態で表示されないようにする表示制御を実行する。具体的には、プロジェクタ１１は、ＰＣ１３から新たに受信された画面データを判読不可能なように加工する。
【００４６】
これにより、プロジェクタなどの表示装置に接続された記録媒体に記録されているコンテンツの一覧を示す情報の意図しない表示を抑制することが可能となる。
【００４７】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011242481.tif 000003
【図２】
2011242481.tif 000004
【図３】
2011242481.tif 000005
【図４】
2011242481.tif 000006
【図５】
2011242481.tif 000007